(57)【要約】【課題】  切りくずを短く分断できる回転切削工具を提供する。【解決手段】  本発明の回転切削工具は、切れ刃と、回転中心軸周りに回転する胴部と、工作機械への取付部とを有する。回転中心軸から離れる方向へ突出する切りくず分断部を有する。切りくず分断部は、切れ刃より先端部側に位置する。【選択図】  図１
2019206062.tif 000002
【特許請求の範囲】
【請求項１】
切れ刃（３１）と、回転中心軸（Ａ）周りに回転する胴部（１１）とを有する回転切削工具（１）であって、
前記回転中心軸（Ａ）から離れる方向へ突出する切りくず分断部（２１、１２１，２２１）を有し、
前記切りくず分断部（２１、１２１、２２１）は、前記切れ刃（３１）より前記回転切削工具（１）の先端部（２）側に位置する回転切削工具。
【請求項２】
前記切りくず分断部（２１、１２１、２２１）は、前記回転中心軸（Ａ）と直交する径方向に３ｍｍ以上２０ｍｍ以下の寸法で突出する請求項１に記載の回転切削工具。
【請求項３】
前記切りくず分断部（２１、１２１、２２１）は切りくず分断部材（２０、１２０、２２０）に形成され、
前記切りくず分断部材（２０、１２０，２２０）は、前記胴部（１１）の先端側へ着脱自在に固定される請求項１又は２に記載の回転切削工具。
【請求項４】
前記切りくず分断部（２１、１２１、２２１）は、前記切れ刃（３１）からの距離を調整する調整手段を有する請求項１から３のいずれか１項に記載の回転切削工具。
【請求項５】
前記切りくず分断部（２１、１２１、２２１）は切りくず分断部材（２０、１２０、２２０）に形成され、
前記調整手段は、所定の厚さのスペーサを前記切りくず分断部材（２０、１２０、２２０）と前記胴部（１１）の先端部（１３）との間に挟むことで調整する請求項４に記載の回転切削工具。
【請求項６】
前記切りくず分断部（２１、１２１、２２１）の前記調整手段の調整範囲は、２ｍｍ以上３０ｍｍ以下である請求項４又は５に記載の回転切削工具。
【請求項７】
前記切りくず分断部（２１、１２１、２２１）は、板状の部分を有する請求項１から６のいずれか１項に記載の回転切削工具。
【請求項８】
前記切れ刃（３１）と前記切りくず分断部（２１、１２１、２２１）との中間に切りくず誘導凹部（１７）を有する請求項１から７のいずれか１項に記載の回転切削工具。
【請求項９】
前記切れ刃（３１）は、ミリング加工用である請求項１から８のいずれか１項に記載の回転切削工具。
【請求項１０】
前記切れ刃（３１）は、面取り加工用である請求項９に記載の回転切削工具。
【請求項１１】
前記胴部（１１）の基端側に工作機械への取付部（１２）を有し、
前記切れ刃（３１）よりも前記取付部（１２）側に他の切れ刃（５１）を有し、
前記他の切れ刃（５１）よりも前記取付部（１２）側に、前記回転中心軸（Ａ）から離れる方向へ突出する第２の切りくず分断部（６１）を有する請求項１から１０のいずれか１項に記載の回転切削工具。
【請求項１２】
回転切削工具（１）の先端部（２）へ着脱自在に装着される切りくず分断部材（２０）であって、
外方に向かって突出する切りくず分断部（２１）を有する切りくず分断部材。
【請求項１３】
前記切りくず分断部（２１）は、外方に向かうに従い先端に向かうように傾斜する曲面又は平面を有する請求項１２に記載の切りくず分断部材。
【請求項１４】
前記切りくず分断部（１２１）は、外方に向かうに従い先端から遠ざかるように傾斜する曲面又は平面を有する請求項１２に記載の切りくず分断部材。
【請求項１５】
前記切りくず分断部材（２２０）は、平面状の先端面（２２２）を有し、
前記切りくず分断部（２２１）は、前記先端面（２２２）と略平行な平面を有する請求項１２に記載の切りくず分断部材。
【発明の詳細な説明】
【技術分野】
【０００１】
本発明は、切削加工に用いる回転切削工具及びその切りくず分断部材に関する。
【背景技術】
【０００２】
特許文献１に示した正面フライスカッタは、本体の外周を吸引フードで覆う場合に、生成された切屑を上方に吸引する。このため、切屑ポケットが略深さ方向に立ち上り、かつ軸方向に延びて本体の背面に抜ける案内壁を、切刃と向かい合う位置に備えている。
【先行技術文献】
【特許文献】
【０００３】
【特許文献１】実開平４−８３５１７号公報
【発明の概要】
【発明が解決しようとする課題】
【０００４】
特許文献１に示した正面フライスカッタは、本体の外周を吸引フードで覆うことを要する。また、この正面フライスカッタの案内壁は、切りくずを上方へ誘導する機能しかないため、切りくずの長さを短くすることができない。一方、吸引フードを用いない回転切削工具において、生成される切りくずを短く処理したい場合がある。すなわち、切りくずを短く分断できる回転切削工具が望まれていた。
【課題を解決するための手段】
【０００５】
本発明の回転切削工具は、切れ刃と、回転中心軸周りに回転する胴部と、工作機械への取付部とを有する。回転中心軸から離れる方向へ突出する切りくず分断部を有する。切りくず分断部は、切れ刃より先端側に位置する。
【０００６】
本発明の切りくず分断部材は、回転切削工具の先端側へ着脱自在に装着される切りくず分断部材であって、外方に向かって突出する切りくず分断部を有する。
【図面の簡単な説明】
【０００７】
【図１】本発明の第１の実施形態に係る回転切削工具の斜視図である。
【図２】図１の回転切削工具の拡大斜視図である。
【図３】図１の回転切削工具の先端部付近の拡大斜視図である。
【図４】本発明の第２の実施形態に係る回転切削工具の先端部付近の拡大斜視図である。
【図５】本発明の第３の実施形態に係る回転切削工具の先端部付近の拡大斜視図である。
【図６】本発明の実施形態に係る回転切削工具による切りくず分断方法の説明図である。
【発明を実施するための形態】
【０００８】
以下、図面を参照して、本発明の実施形態について説明する。なお、同一の要素には同一の符号を付し、重複する説明を省略する。また、上下左右等の位置関係は、特に断らない限り、図面に示す位置関係に基づくものとする。さらに、寸法比率は、図示の比率に限定されるものではない。また、以下の実施形態は、本発明を説明するための例示であり、本発明はこの実施形態に限定されるものではない。
【０００９】
図１は、本発明の第１の実施形態に係る回転切削工具１を示す斜視図である。この実施形態に係る回転切削工具１は、３つの切削インサート３０、４０、５０を有する面取りカッタである。すなわち、回転切削工具１は、回転中心軸Ａの周りに回転し、被加工物の角部への面取り加工（ミリング加工）に適するカッタである。
【００１０】
回転切削工具１は、工具ボデー１０及び２つの切りくず分断部材２０、６０を有する。回転切削工具１は、クランプ部材（締め付けねじ）を用いて、各々の切削インサート３０、４０、５０を工具ボデー１０に固定している。なお、切削インサートの固定方法は、締め付けねじによる方法に限定されず、既知の様々な固定方法が適用できる。
【００１１】
３つの切削インサート３０、４０、５０の内、第１の切削インサート３０は切れ刃３１を有する。第１の切削インサート３０は、工具ボデー１０のインサート座へクランプするための、貫通穴を有する。第１の切削インサート３０は、略多角形板状である。すなわち、第１の切削インサート３０は、略多角形の２つの端面と、これらの端面をつなぐ周側面とを有する。この実施形態に係る第１の切削インサート３０の端面は略正方形である。第１の切削インサート３０の少なくとも一方の端面のうち、切れ刃３１に接続する部分は、すくい面として機能する。第１の切削インサート３０の切れ刃３１に接続する周側面の部分は、逃げ面として機能する。この実施形態の回転切削工具１は、同一形状の３つの切削インサート３０、４０、５０を用いている。したがって、第２の切削インサート４０及び第３の切削インサート５０は、第１の切削インサート３０と同様であるため、ここでは詳細な説明を省略する。なお、切削インサート３０、４０、５０の形状は、略正方形板状に限らず様々なものが知られているが、本発明を適用するにあたって制限がないため、ここでは詳細な説明を省略する。
【００１２】
工具ボデー１０は、胴部１１と、工作機械への取付部１２とを有する。胴部１１は、回転中心軸Ａを中心とする略円柱形状である。なお、この実施形態に係る回転切削工具１は、下穴の裏側も面取り加工することができる面取りカッタであるため、胴部１１の先端部１３側が偏心しつつ、細くなっている。ただし、胴部１１の先端部１３側の第１及び第２の切削インサート３０、４０を装着する部分は、細くなった部分から外方へ張り出ている。
【００１３】
胴部１１は、外周部１４からへこむ、２つの切りくずポケット１６、１６Ｂを有する。２つの切りくずポケット１６、１６Ｂの内、第１の切りくずポケット１６からさらにへこむように、第１及び第２の切削インサート３０、４０を受容する各々のインサート座を有する（図示しない）。同様に、第２の切りくずポケット１６Ｂからさらにへこむように、第３の切削インサート５０を受容するインサート座を有する（図示しない）。各インサート座は、切削インサート３０、４０、５０の各切れ刃３１、４１、５１が面取り加工に適合するように配置する。具体的には、各切削インサート３０、４０、５０の周側面と当接するインサート座の壁面が回転中心軸Ａに対して傾斜するように配置する。
【００１４】
工具ボデー１０の取付部１２は、略円柱形状であり、シャンクとも呼ばれる。この実施形態に係る回転切削工具１のシャンクの直径は約１６ｍｍである。
【００１５】
第１の切削インサート３０の切れ刃３１は、工具ボデー１０の先端部１３付近に、面取り加工に適合するように回転中心軸Ａに対して傾斜するように配置する。この実施形態の切削工具１は、第２の切削インサート４０の第２の切れ刃４１も、工具ボデー１０の先端部１３付近に、面取り加工に適合するように回転中心軸Ａに対して傾斜するように配置する。２つの切削インサート３０、４０の各々の切れ刃が切削する範囲を分担させることで、各々の切れ刃で生成される各々の切りくずの幅を減少させる。
【００１６】
切削インサート３０、４０は、貫通穴をクランプ部材によって押さえることで、工具ボデー１０のインサート座に押し付けられて固定される。
【００１７】
工具ボデー１０は、胴部１１に第１の切りくず誘導凹部１７を有する。第１の切りくず誘導凹部１７は、第１の切りくずポケット１６からさらにへこむように形成されている。
【００１８】
２つの切りくず分断部材２０の内、先端側に配置する第１の切りくず分断部材２０は、切りくず分断部（第１の切りくず分断部）２１を有する。第１の切りくず分断部２１は、回転切削工具１の回転中心軸Ａから離れる方向、すなわち径方向に突出する。径方向とは、回転中心軸Ａと直交する方向と換言することもできる。第１の切りくず分断部２１は、板状の部分を有するように形成されている。第１の切りくず分断部２１は、外方に向かうに従い先端に向かうように傾斜する平面を有する。この実施形態の第１の切りくず分断部２１は、全体を外方に向かうに従い先端に向かうように傾斜する平面として構成している。
【００１９】
第１の切りくず分断部材２０は、固定手段（締め付けねじ）７０を用いて工具ボデー１０のへ固定される。さらに具体的に言えば、第１の切りくず分断部材２０は胴部１１の先端部１３へ固定される。この実施形態に係る回転切削工具１は、締め付けねじ７０を１個用いている。第１の切りくず分断部材２０は、締め付けねじ７０の頭部に対応する座繰りを有する貫通穴を有する。なお、切りくず分断部材２０の固定方法は、締め付けねじによる方法に限定されない。切りくず分断部材２０の固定方法は、既知の様々な固定方法が適用できる。
【００２０】
第１の切りくず分断部材２０は、第１の切りくずポケット１６へ概ね接続する切りくずポケット部を有する。この実施形態に係る第１の切りくず分断部２１は、切りくずポケット部と接続している。
【００２１】
工具ボデー１０は、胴部１１におねじ部（第１の調整手段）１５を有する。ただし、図１、図２及び図６において、ねじはねじ山が省略され、簡略に示されている。おねじ部１５は、周囲の胴部１１よりも一回り大きく形成されている。この実施形態に係る回転切削工具１は、おねじ部１５の呼び径が約２０ｍｍである。
【００２２】
工具ボデー１０は、胴部１１に第２の切りくず誘導凹部１７Ｂを有する。第２の切りくず誘導凹部１７Ｂの横断面は略円弧状である。第２の切りくず誘導凹部１７Ｂの横断面の曲率半径は、例えば約３ｍｍである。
【００２３】
第３の切削インサート５０の第３の切れ刃５１は、胴部１１の基端側に、面取り加工に適合するように回転中心軸Ａに対して傾斜するように配置する。第３の切削インサート５０は、貫通穴をクランプ部材によって押さえることで、工具ボデー１０のインサート座に押し付けられて固定される。
【００２４】
切削インサート３０、４０、５０の切れ刃３１、４１、５１周辺の材質は、特に限定されるものではないが、例えば超硬合金、サーメット、セラミックス、立方晶窒化ほう素を含む焼結体、単結晶ダイヤモンド及びダイヤモンドを含む焼結体等の硬質材料、又はこれら硬質材料の表面にＰＶＤもしくはＣＶＤによる被覆膜を被膜したものの中から選定するとよい。
【００２５】
第２の切りくず分断部材６０は、第２の切りくず分断部６１を有する。第２の切りくず分断部６１は、回転切削工具１の回転中心軸Ａから離れる方向、すなわち径方向に突出する。第２の切りくず分断部６１は、板状の部分を有するように形成されている。すなわち、第２の切りくず分断部６１は、円盤状の部分を有する。
【００２６】
第２の切りくず分断部材６０は、めねじ部（第２の調整手段）６２を有する。めねじ部６２は、胴部１１のおねじ部１５と螺合する形状とする。
【００２７】
第２の切りくず分断部材６０は、第２の固定手段（締め付けねじ）８０を用いて工具ボデー１０の胴部１１へ固定される。この実施形態に係る回転切削工具１は、第２の締め付けねじ８０を３個用いている。３個の第２の締め付けねじ８０は、等間隔に配置するとよい。なお、第２の切りくず分断部材６０の固定方法は、締め付けねじによる方法に限定されない。第２の切りくず分断部材６０の固定方法は、既知の様々な固定方法が適用できる。
【００２８】
工具ボデー１０の材質は、特に限定されるものではないが、例えば炭素鋼、合金鋼、工具鋼、アルミ合金、又はこれらの材料の表面に被覆膜を被覆したものの中から選定するとよい。また、被覆の方法は、メッキなどの既知の様々な被覆方法が適用できる。
【００２９】
以上のように構成された工具ボデー１０は、例えば切削加工により製造される。切りくず分断部材２０、６０も、例えば切削加工により製造される。切削加工に用いる工作機械は、旋盤やマシニングセンタなどの様々な既知の技術が適用できる。
【００３０】
切削インサート３０、４０、５０は、例えば粉末加圧成形した成形体を焼結することにより製造される。さらに、必要に応じて、研削加工や被覆膜の被覆処理が行われる。切削インサート３０、４０、５０の製造方法には、様々な既知の技術が適用できる。
【００３１】
次に、この実施形態に係る回転切削工具１が奏する作用と効果について説明する。また、本発明の好ましい形態についても説明する。
【００３２】
回転切削工具１は、例えばマシニングセンタなどの工作機械の主軸に、アダプタ（アーバ）などを介して装着され、金属などの切削加工に使用される。工作機械の主軸の回転に伴って回転切削工具が回転し、被加工物に近づけて切り込むことで、被加工物を切削加工する。この実施形態に係る回転切削工具１は、面取りカッタであるため、被加工物の面取り加工に特に適する。
【００３３】
図６に模式的に示すように、回転切削工具１は、第１の切りくず分断部２１を有することで、切れ刃３１にて生成される切りくずＣを、短く分断することができる。切れ刃３１により被加工物Ｗから削り取られた切りくずＣは、第１の切りくず分断部２１に勢いよく衝突することで分断される。特に、各種鋼材、アルミ合金及びステンレス鋼などの延性材料の面取り加工において、切りくずが伸び絡みやすいため、高い効果が得られる。なお、図６において、加工部が見えるように、被加工物Ｗの一部を切断したような形状で示したが、実際には略円筒状である。
【００３４】
詳細な説明を省略するが、第２の切削インサート４０の切れ刃にて生成される切りくずも、第１の切りくず分断部２１に勢いよく衝突することで分断される。また、切りくずが逆側（基端側）に向かって流出する、第３の切削インサート５０の切れ刃にて生成される切りくずは、第２の切りくず分断部６１に勢いよく衝突することで分断される。
【００３５】
例えば、炭素鋼の被加工物の面取り加工において、第１の切りくず分断部２１のない従来回転切削工具では、切りくずの長さが７０ｍｍ以上となって伸び絡んでいた。同様に、例えば炭素鋼の被加工物の面取り加工において、第２の切りくず分断部６１のない従来回転切削工具では、切りくずの長さが７０ｍｍ以上となって伸び絡んでいた。この実施形態に係る回転切削工具１によると、例えば切りくずの長さを１０ｍｍ以上５０ｍｍ以下にまで短くできた。
【００３６】
図４に第２の実施形態に係る第１の切りくず分断部材１２０を装着した回転切削工具１００を示す。この実施形態の第１の切りくず分断部１２１は、全体を外方に向かうに従い先端から遠ざかるように傾斜する平面として構成している。
【００３７】
図５に第３の実施形態に係る第１の切りくず分断部材２２０を装着した回転切削工具２００を示す。この実施形態の第１の切りくず分断部２２１は、全体を先端面２２２と略平行な平面として構成している。
【００３８】
これらの実施形態にかかる回転切削工具１、１００、２００のように、第１の切りくず分断部２１、１２１、２２１は、形状の異なる第１の切りくず分断部材２０、１２０、２２０を交換することで、切れ刃３１からの距離や切れ刃に対する傾斜の向きを調整することができる。第１の切りくず分断部２１、１２１、２２１の、切れ刃３１からの距離や切れ刃に対する傾斜の向きを調整することにより、分断される切りくずの長さを適切に制御することができる。なお、第１の切りくず分断部２１、１２１、２２１の位置の調整手段は、第１の切りくず分断部材２１、１２１、２２１を交換する方法に限定されない。第１の切りくず分断部２１、１２１、２２１の位置の調整手段は、既知の様々な技術を適用できる。例えば、所定の厚さのスペーサを第１の切りくず分断部材２０と胴部１１の先端部１３との間に挟むことで調整することもできる（図示しない）。ただし、第１の切りくず分断部材２０は、第１の切りくず分断部２１、１２１、２２１の形状が異なる部材と交換する方法により、簡単に精度よく、切りくず分断部２１、１２１、２２１の位置を調整することができる。従来技術では、切削油を勢いよく噴射して切りくずを吹き飛ばしていた。また、それでも切りくずが伸び絡むときはステップ加工（間欠動作）などを行わなければならなかった。この実施形態に係る回転切削工具１は、切削油やステップ加工によらず、好適に切りくずを短く処理できる。
【００３９】
第１の切りくず分断部２１、１２１、２２１の位置調整範囲は、２ｍｍ以上３０ｍｍ以下が好ましい。位置調整範囲が２ｍｍに満たないと、好適な短さに切りくずを調整できない場合がある。位置調整範囲が３０ｍｍを超えると、回転切削工具１、１００、２００の長さが増大し、被加工物との干渉などの不具合が発生しやすくなる。
【００４０】
図示しないが、第２の切削インサート４０の第２の切れ刃４１にて生成される切りくずを短く分断するための切りくず分断部を、第１の切りくず分断部２１、１２１、２２１とは別に設けてもよい。
【００４１】
第２の切りくず分断部６１は、第３の切削インサート５０の第３の切れ刃５１からの距離を、調整することができる。前述のとおり、第２の切りくず分断部材６０のめねじ部６２は、胴部１１のおねじ部１５と螺合している。したがって、第２の切りくず分断部材６０を胴部１１に対して相対的に回転させると、第２の切りくず分断部６１の回転中心軸Ａ方向の位置を調整することができる。切りくず分断部６１の位置（第３の切れ刃５１からの距離）を調整することで、切りくずの長さを自在に調整することができる。なお、切りくず分断部２１の位置の調整手段は、ねじの螺合による方法に限定されない。切りくず分断部２１の位置の調整手段は、既知の様々な技術を適用できる。ただし、切りくず分断部材２０は、めねじ部（第２の調整手段）２２と、胴部１１のおねじ部１５とを螺合させることで、簡単に精度よく、切りくず分断部２１の位置を調整することができる。同時に、切りくずの衝突により発生する力に抗して、切りくず分断部２１の位置を正確に保つことができる。この実施形態のような、ねじの螺合による調整手段は、構造も簡単であるため製造コストも低く、好ましい。従来技術では、切削油を勢いよく噴射して切りくずを吹き飛ばしていた。また、それでも切りくずが伸び絡むときはステップ加工（間欠動作）などを行わなければならなかった。この実施形態に係る回転切削工具１は、切削油やステップ加工によらず、好適に切りくずを短く処理できる。
【００４２】
第２の切りくず分断部６１の位置調整範囲は、５ｍｍ以上３０ｍｍ以下が好ましい。位置調整範囲が５ｍｍに満たないと、好適な短さに切りくずを調整できない場合がある。位置調整範囲が３０ｍｍを超えると、胴部１１の長さが増加し、工具剛性が低下し、びびり振動などの不具合が発生しやすくなる。
【００４３】
第１及び第２の切りくず分断部２１、１２１，２２１，６１は、板状に形成されると、回転切削工具１の全体の重量の増加を抑制できるため好ましい。特に、第２の切りくず分断部６１は、円盤状に形成されると、静バランスに加えて、回転時の動バランスが優れるようになるため好ましい。また、一周取り巻く壁面が形成されるため、第２の切りくず分断部６１の位置を調整するときに、常に切りくずの流出方向に第２の切りくず分断部６１を配置できる。なお、調整手段をねじの螺合によらず、例えばスライド式の調整手段などを用いる場合は、切りくずの流出方向にだけ第２の切りくず分断部６１が形成されればよい。その場合の第２の切りくず分断部６１は、円盤状である必要がなく、必要な部分にだけ配置して、さらに軽量化することができる。ただし、その場合でも回転時の動バランスに配慮することが好ましい。すなわち、第２の切りくず分断部６１は、回転中心軸Ａに対して回転対称な位置に配置することが好ましい。
【００４４】
第２の切りくず分断部６１により、工作機械の主軸に装着されるアダプタ（アーバ）の寿命を延長できる場合もある。切りくずが伸び絡むと、アダプタに傷をつける場合がある。この実施形態に係る回転切削工具１、１００、２００は、第２の切りくず分断部６１を有することにより、切りくずがアダプタに衝突することや、伸び絡むことを防止する。
【００４５】
前述のとおり、工具ボデー１０の胴部１１は、第１の切りくず誘導凹部１７および第２の切りくず誘導凹部１７Ｂを有する。第１及び第２の切りくず誘導凹部１７、１７Ｂは、切りくずが切りくず分断部２１、１２１，２２１、６１に向かうように誘導する凹部である。すなわち、第１の切りくず誘導凹部１７は、切れ刃３１、４１と切りくず分断部２１、１２１、２２１との間に配置する。第２の切りくず誘導凹部１７Ｂは、第３の切れ刃５１と切りくず分断部６１との間に配置する。第１の切りくず誘導凹部１７は、切れ刃３１側から切りくず分断部２１、１２１，２２１に向かって伸びている。切れ刃３１で生成されて第１の切りくず誘導凹部１７に接触した切りくずは、進行方向を強制的に変えられ、第１の切りくず誘導凹部１７の伸びる方向に沿って、切りくず分断部２１、１２１、２２１と衝突するように誘導される。第２の切りくず誘導凹部１７Ｂは、第３の切れ刃５１側から第２の切りくず分断部６１に向かって伸びている。第３の切れ刃５１で生成されて第２の切りくず誘導凹部１７Ｂに接触した切りくずは、進行方向を強制的に変えられ、第２の切りくず誘導凹部１７Ｂの伸びる方向に沿って、第２の切りくず分断部６１と衝突するように誘導される。
【００４６】
切りくずを好適に誘導するために、第１および第２の切りくず誘導凹部１７、１７Ｂの断面には好適な形状がある。第２の切りくず誘導凹部１７Ｂの切断面において、断面形状は略円弧状であることが好ましい。さらに、断面形状の円弧の曲率半径は、２ｍｍ以上４ｍｍ以下が好ましい。断面形状の曲率半径は、２ｍｍに満たないと、切りくずが内部に入れずに乗り越えてしまう場合がある。断面形状の曲率半径は、４ｍｍを超えると、切りくずを誘導する能力が弱まり、切りくずの流出方向が安定しなくなり、切りくず分断部２１に衝突しない切りくずが増加する場合がある。
【００４７】
工具ボデー１０の胴部１１は、第３の凹部１８を有する。第３の凹部１８は、切りくずの噛み込みや擦過を防止するための凹みである。工具ボデー１０は第３の凹部１８を有することで、摩耗や欠損が抑制され、工具寿命が延長される。
【００４８】
以上、本発明の実施形態について説明したが、本発明の切削工具は、種々の変更が可能である。例えば、前述の実施形態では、略菱形板状の切削インサート３０、４０、５０を用いたが、それに限定されず様々な形態のものに適用できる。
【００４９】
本発明の切削工具は、切削インサートを用いる形態の切削工具にも限定されない。チップをろう付けする形態の切削工具や、一体タイプの切削工具などにも適用できる。
【００５０】
前述した実施形態では本発明をある程度の具体性をもって説明したが、本発明はこれに限定されない。本発明については、請求の範囲に記載された発明の精神や範囲から離れることなしに、さまざまな改変や変更が可能であることを理解されなければならない。すなわち、本発明には、請求の範囲によって規定される本発明の思想に包含されるあらゆる変形例や応用例、均等物が含まれる。
【符号の説明】
【００５１】
１  回転切削工具
２  先端部
１０  工具ボデー
１１  胴部
１２  取付部
１３  胴部の先端部
１４  外周部
１５  第１の調整手段（おねじ部）
１６  第１の切りくずポケット
１６Ｂ  第２の切りくずポケット
１７  第１の切りくず誘導凹部
１７Ｂ  第２の切りくず誘導凹部
１８  第３の凹部
２０  第１の切りくず分断部材
２１  第１の切りくず分断部
２２  先端面
３０  第１の切削インサート
３１  切れ刃
４０  第２の切削インサート
４１  第２の切れ刃
５０  第３の切削インサート
５１  第３の切れ刃
６０  第２の切りくず分断部材
６１  第２の切りくず分断部
６２  第２の調整手段（めねじ部）
７０  第１の切りくず分断部材の締め付けねじ（固定手段）
８０  第２の切りくず分断部材の第２の締め付けねじ（第２の固定手段）
１００  第２の実施形態に係る回転切削工具
１２０  第１の切りくず分断部材
１２１  第１の切りくず分断部
２００  第３の実施形態に係る回転切削工具
２２０  第１の切りくず分断部材
２２１  第１の切りくず分断部
２２２  先端面
Ａ  回転中心軸
Ｃ  切りくず
Ｗ  被加工物
【図１】
2019206062.tif 000003
【図２】
2019206062.tif 000004
【図３】
2019206062.tif 000005
【図４】
2019206062.tif 000006
【図５】
2019206062.tif 000007
【図６】
2019206062.tif 000008